(57)【要約】【課題】簡単な操作によって、シングルディスプレイモードとマルチディスプレイモードとの切替、該マルチディスプレイモードにおける画面の配列の切替等の画面表示の設定を変更することができるようにする。【解決手段】それぞれに対応するタッチパネルを備える複数の画面表示装置の画面に画面設定用のマーカを表示させ、前記タッチパネルの操作によるマーカの選択の態様に応じて前記画面表示装置の画面設定を変更する。【選択図】　　　　　図１
2004070635.tif 000002
【特許請求の範囲】
【請求項１】
それぞれに対応するタッチパネルを備える複数の画面表示装置の画面に画面設定用のマーカを表示させ、前記タッチパネルの操作によるマーカの選択の態様に応じて前記画面表示装置の画面設定を変更することを特徴とするマルチディスプレイ画面設定方法。
【請求項２】
前記画面設定は表示パターンの設定である請求項１に記載のマルチディスプレイ画面設定方法。
【請求項３】
前記マーカのうちの三つのマーカを選択する請求項１又は２に記載のマルチディスプレイ画面設定方法。
【請求項４】
前記画面設定は画面サイズの設定も含む請求項３に記載のマルチディスプレイ画面設定方法。
【請求項５】
前記マーカのうちの二つのマーカを選択する請求項１又は２に記載のマルチディスプレイ画面設定方法。
【請求項６】
前記タッチパネルのキャリブレーションも実行する請求項５に記載のマルチディスプレイ画面設定方法。
【発明の詳細な説明】
【０００１】
【発明の属する技術分野】
本発明は、マルチディスプレイ画面設定方法に関するものである。
【０００２】
【従来の技術】
従来、パーソナルコンピュータ、テレビ、車両用ナビゲーション装置等においては、特に、ワイドディスプレイ、横長ディスプレイ等の大型のディスプレイを採用している場合、ディスプレイ全体に一つの画面を表示させるシングルディスプレイモードと、ディスプレイに別個の二つの画面を表示させるデュアルディスプレイモードとを選択することができる技術が提供されている。なお、ディスプレイに三つ以上の画面を表示させることができるマルチディスプレイモードを選択することができる場合もある。
【０００３】
また、特に、パーソナルコンピュータにおいては、独立した二つ以上のディスプレイを隣接させ、該二つ以上のディスプレイを連続した一つのディスプレイとみなして一つの画面を表示させるシングルディスプレイモードと、各々のディスプレイに、それぞれ、別個の画面を表示させるマルチディスプレイモードとを選択することができる技術が提供されている。
【０００４】
この場合、シングルディスプレイモードとデュアルディスプレイモード又はマルチディスプレイモードとの切替や、デュアルディスプレイモード又はマルチディスプレイモードにおいて、複数の画面をどのように配列させるか、例えば、左右に並べて配列させるか、又は、上下に並べて配列させるかという配列の切替をするための画面表示の設定は、画面のプロパティを設定し直すことによって行うようになっている。
【０００５】
【発明が解決しようとする課題】
しかしながら、前記従来のマルチディスプレイ画面設定方法においては、画面のプロパティを設定し直すためには細かい操作が要求されるため、誤った設定を行ってしまうことがある。特に、ディスプレイの表面に接触検出式の透明電極等から成る透明のタッチパネルを配設することによって、ディスプレイにペンや指で触れる（タッチする）ことによって入力することができるようにしたタッチパネル式ディスプレイの場合には、細かい操作を行うことが難しいので、設定を間違えてしまうことが多い。さらに、タッチパネルのキャリブレーション（ｃａｌｉｂｒａｔｉｏｎ：較正）が正しく行われていないと、意図する操作項目を選択することができず、操作を行うことがより難しくなってしまう。
【０００６】
本発明は、前記従来のマルチディスプレイ画面設定方法の問題点を解決して、簡単な操作によって、シングルディスプレイモードとマルチディスプレイモードとの切替、該マルチディスプレイモードにおける画面の配列の切替等の画面表示の設定を変更することができるマルチディスプレイ画面設定方法を提供することを目的とする。
【０００７】
【課題を解決するための手段】
そのために、本発明のマルチディスプレイ画面設定方法においては、それぞれに対応するタッチパネルを備える複数の画面表示装置の画面に画面設定用のマーカを表示させ、前記タッチパネルの操作によるマーカの選択の態様に応じて前記画面表示装置の画面設定を変更する。
【０００８】
本発明の他のマルチディスプレイ画面設定方法においては、さらに、前記画面設定は表示パターンの設定である。
【０００９】
本発明の更に他のマルチディスプレイ画面設定方法においては、さらに、前記マーカのうちの三つのマーカを選択する。
【００１０】
本発明の更に他のマルチディスプレイ画面設定方法においては、さらに、前記画面設定は画面サイズの設定も含む。
【００１１】
本発明の更に他のマルチディスプレイ画面設定方法においては、さらに、前記マーカのうちの二つのマーカを選択する。
【００１２】
本発明の更に他のマルチディスプレイ画面設定方法においては、さらに、前記タッチパネルのキャリブレーションも実行する。
【００１３】
【発明の実施の形態】
以下、本発明の実施の形態について図面を参照しながら詳細に説明する。
【００１４】
図１は本発明の第１の実施の形態におけるマルチディスプレイ画面装置の構成を示すブロック図である。
【００１５】
図において、１１は各ユニットの動作を制御する主制御部、１２及び１３は該主制御部１１によって設定された画面を表示する画面表示装置としての第１の画面表示装置及び第２の画面表示装置である。ここで、前記主制御部１１は、ＣＰＵ、ＭＰＵ等の演算手段、磁気ディスク、半導体メモリ等の記憶手段、入出力インターフェイス等を備える一種のコンピュータであり、前記第１の画面表示装置１２及び第２の画面表示装置１３の動作を制御する。また、該第１の画面表示装置１２及び第２の画面表示装置１３は、ＣＲＴ、液晶ディスプレイ、ＬＥＤ（Ｌｉｇｈｔ　Ｅｍｉｔｔｉｎｇ　Ｄｉｏｄｅ）ディスプレイ、プラズマディスプレイ等から成り、マルチディスプレイ画面装置のディスプレイを構成する。なお、前記第１の画面表示装置１２及び第２の画面表示装置１３は、独立した二つのディスプレイとなるように、それぞれ、独立して別個に構成されたものであってもよいし、二つの画面を表示させる単一のディスプレイとなるように一体的に構成されたものであってもよい。
【００１６】
そして、１４は前記第１の画面表示装置１２に対応するタッチパネルとしての第１のタッチパネル、１５は前記第２の画面表示装置１３に対応するタッチパネルとしての第２のタッチパネルである。前記第１のタッチパネル１４及び第２のタッチパネル１５は、透明電極等から成り、ペンや指でタッチすると、抵抗値や静電容量の変化が検出されて、タッチされた箇所の位置情報が入力されるポインティングデバイスであり、タッチスクリーンとも呼ばれる。なお、前記第１のタッチパネル１４及び第２のタッチパネル１５は、精度の高い赤外線式や超音波式のものであってもよい。そして、前記第１のタッチパネル１４及び第２のタッチパネル１５は、透明であり、第１の画面表示装置１２及び第２の画面表示装置１３の全面に貼（てん）付され、ペンや指で画面にタッチした位置を主制御部１１に送信して、前記位置に対応した動作を主制御部１１に実行させるためのものである。
【００１７】
本実施の形態において、マルチディスプレイ画面装置は、例えば、パーソナルコンピュータ、テレビ、ゲーム機、ＰＤＡ（Ｐｅｒｓｏｎａｌ　ＤｉｇｉｔａｌＡｓｓｉｔａｎｔ）、携帯電話機、車両用ナビゲーション装置等であるが、郵便局、信用金庫、消費者金融会社等の金融機関の支店等に配設されたＡＴＭ（Ａｕｔｏｍａｔｉｃ　Ｔｅｌｌｅｒ　Ｍａｃｈｉｎｅ：現金自動預払機）、ＣＤ（Ｃａｓｈ　Ｄｉｓｐｅｎｓｅｒ：現金自動支払機）、両替機等の自動取引装置、コンビニエンスストア、スーパーマーケット等に配設されたキオスク端末、鉄道の駅、バスの停留所、遊園地、ゲームセンタ等の遊技場、映画館等の劇場、博物館、駐車場、レストラン等の食堂、ゴルフ場等のスポーツ施設等に配設された自動券売機であってもよく、ディスプレイを有する装置であれば、いかなる装置であってもよい。
【００１８】
また、前記マルチディスプレイ画面装置は、三つ以上の画面を表示させるように三つ以上の画面表示装置を有するものであってもよいが、本実施の形態においては、説明の都合上、二つの画面表示装置、すなわち、第１の画面表示装置１２及び第２の画面表示装置１３を有する場合についてのみ説明する。なお、一般的に、二つの画面を表示させる場合、デュアルディスプレイと呼ばれることが多いが、本実施の形態においては、二つの画面を表示させる場合も含めて、複数の画面を表示させる場合にマルチディスプレイと呼ぶこととする。
【００１９】
次に、前記構成のマルチディスプレイ画面装置の動作について説明する。
【００２０】
図２は本発明の第１の実施の形態における第１の画面表示装置のマーカの表示位置を示す図、図３は本発明の第１の実施の形態における第２の画面表示装置のマーカの表示位置を示す図である。
【００２１】
本実施の形態においては、第１の画面表示装置１２及び第２の画面表示装置１３の画面Ａ及び画面Ｂ上に、シングルディスプレイモードとマルチディスプレイモードとの切替、該マルチディスプレイモードにおける画面の配列の切替等の画面表示の設定を正確に行うための画面設定用のマーカを表示するようになっている。そして、所定のマーカをタッチして選択することによって、すなわち、タッチパネルとしての第１のタッチパネル１４及び第２のタッチパネル１５の操作によるマーカの選択の態様に応じて画面表示の設定を変更することができる。
【００２２】
この場合、図２に示されるように、第１の画面表示装置１２においては、画面Ａの左上には第１のマーカＡ１　が表示され、左下には第２のマーカＡ２　が表示され、右上には第３のマーカＡ３　が表示される。
【００２３】
また、図３に示されるように、第２の画面表示装置１３においては、画面の左上に第１のマーカＢ１　が表示され、左下には第２のマーカＢ２　が表示され、右上には第３のマーカＢ３　が表示される。
【００２４】
次に、画面設定の動作について説明する。
【００２５】
図４は本発明の第１の実施の形態における画面設定の動作を示すフローチャート、図５は本発明の第１の実施の形態における画面表示パターンを示す図である。
【００２６】
まず、初期設定画面（デフォルト画面）としてはいかなる画面表示パターンであってもよいが、例えば、図５に示される画面表示パターン▲１▼のように、画面Ａ及び画面Ｂが横に並列して表示されているものとする。すなわち、画面全体が横方向に複数に分割されて表示されるマルチディスプレイモードとなっているものとする。ここで、マルチディスプレイ画面装置を操作する操作者が画面設定操作を開始すると、主制御部１１は、第１の画面表示装置１２の画面Ａに第１のマーカＡ１　を表示させ、第２の画面表示装置１３の画面Ｂに第１のマーカＢ１　を表示させる。そして、操作者は、表示された第１のマーカＡ１　又は第１のマーカＢ１　に指やペンでタッチすることによって、第１のマーカＡ１　又は第１のマーカＢ１　を選択する。
【００２７】
ここで、第１のマーカＡ１　が選択された場合、主制御部１１は、第１の画面表示装置１２の画面Ａに第２のマーカＡ２　を表示させ、第２の画面表示装置１３の画面Ｂに第２のマーカＢ２　を表示させる。そして、操作者は、表示された第２のマーカＡ２　又は第２のマーカＢ２　に指やペンでタッチすることによって、第２のマーカＡ２　又は第２のマーカＢ２　を選択する。
【００２８】
続いて、第２のマーカＡ２　が選択された場合、主制御部１１は、第１の画面表示装置１２の画面Ａに第３のマーカＡ３　を表示させ、第２の画面表示装置１３の画面Ｂに第３のマーカＢ３　を表示させる。そして、操作者は、表示された第３のマーカＡ３　又は第３のマーカＢ３　に指やペンでタッチすることによって、第３のマーカＡ３　又は第３のマーカＢ３　を選択する。
【００２９】
そして、第３のマーカＡ３　が選択された場合、主制御部１１は、画面の表示パターンを図５に示される画面表示パターン▲３▼に設定し、画面Ａだけが横に長く表示される。すなわち、第１の画面表示装置１２の画面Ａだけが画面全体に表示されるシングルディスプレイモードとなる。また、第３のマーカＢ３　が選択された場合、主制御部１１は、画面の表示パターンを図５に示される画面表示パターン▲１▼に設定し、画面Ａ及び画面Ｂが横に並列して表示される。
【００３０】
なお、前述されたように、第１の画面表示装置１２の画面Ａに第２のマーカＡ２　が表示され、第２の画面表示装置１３の画面Ｂに第２のマーカＢ２　が表示された場合に該第２のマーカＢ２　が選択されると、主制御部１１は、第１の画面表示装置１２の画面Ａに第３のマーカＡ３　を表示させるが、第２の画面表示装置１３の画面Ｂにはマーカを表示させない。そして、操作者は、表示された第３のマーカＡ３　に指やペンでタッチすることによって、第３のマーカＡ３　を選択する。すると、主制御部１１は、画面の表示パターンを図５に示される画面表示パターン▲２▼に設定し、画面Ａ及び画面Ｂが縦に並列して表示される。すなわち、画面全体が縦方向に複数に分割されて表示されるマルチディスプレイモードとなる。
【００３１】
また、前述されたように、第１の画面表示装置１２の画面Ａに第１のマーカＡ１　が表示され、第２の画面表示装置１３の画面Ｂに第１のマーカＢ１　が表示された場合に第１のマーカＢ１　が選択されると、主制御部１１は、第１の画面表示装置１２の画面Ａに第２のマーカＡ２　を表示させ、第２の画面表示装置１３の画面Ｂに第２のマーカＢ２　を表示させる。そして、操作者は、表示された第２のマーカＡ２　又は第２のマーカＢ２　に指やペンでタッチすることによって、第２のマーカＡ２　又は第２のマーカＢ２　を選択する。
【００３２】
続いて、第２のマーカＡ２　が選択された場合は、第１の画面表示装置１２の画面Ａにはマーカが表示されず、第２の画面表示装置１３の画面Ｂに第３のマーカＢ３　が表示される。そして、操作者は、表示された第３のマーカＢ３　に指やペンでタッチすることによって、第３のマーカＢ３　を選択する。すると、主制御部１１は、画面の表示パターンを図５に示される画面表示パターン▲５▼に設定し、画面Ａ及び画面Ｂが縦に並列して表示される。すなわち、画面全体が縦方向に複数に分割されて表示されるマルチディスプレイモードとなる。なお、前記画面表示パターン▲２▼においては、画面Ａが上に表示されて画面Ｂが下に表示されるのに対し、画面表示パターン▲５▼においては、画面Ａが下に表示されて画面Ｂが上に表示される。
【００３３】
ここで、第１の画面表示装置１２の画面Ａに第２のマーカＡ２　が表示され、第２の画面表示装置１３の画面Ｂに第２のマーカＢ２　が表示された場合に第２のマーカＡ２　が選択されると、主制御部１１は、第１の画面表示装置１２の画面Ａに第３のマーカＡ３　を表示させ、第２の画面表示装置１３の画面Ｂに第３のマーカＢ３　を表示させる。そして、操作者は、指やペンで表示された第３のマーカＡ３　又は第３のマーカＢ３　にタッチすることによって、第３のマーカＡ３　又は第３のマーカＢ３　を選択する。
【００３４】
そして、第３のマーカＡ３　が選択された場合、主制御部１１は、画面の表示パターンを図５に示される画面表示パターン▲４▼に設定し、画面Ａ及び画面Ｂが横に並列して表示される。すなわち、画面全体が横方向に複数に分割されて表示されるマルチディスプレイモードとなる。なお、前期画面表示パターン▲１▼においては、画面Ａが左に表示されて画面Ｂが右に表示されるのに対し、画面表示パターン▲４▼においては、画面Ａが右に表示されて画面Ｂが左に表示される。また、第３のマーカＢ３　が選択された場合は、主制御部１１は、画面の表示パターンを図５に示される画面表示パターン▲６▼に設定し、画面Ｂだけが横に長く表示される。すなわち、第２の画面表示装置１３の画面Ｂだけが画面全体に表示されるシングルディスプレイモードとなる。
【００３５】
続いて、操作者は、画面の表示状態を確認し、設定された画面の表示パターンの表示状態に問題がないか否かを判断し、問題がない場合は画面設定の動作を終了する。なお、前記表示状態に問題がある場合、操作者は再度画面設定の動作を行う。
【００３６】
次に、フローチャートについて説明する。
ステップＳ１　第１の画面表示装置１２に第１のマーカＡ１　を、第２の画面表示装置１３に第１のマーカＢ１　を、それぞれ、表示する。
ステップＳ２　第１のマーカＡ１　が選択されたか否かを判断する。第１のマーカＡ１　が選択された場合はステップＳ３に進み、第１のマーカＡ１　が選択されていない場合、すなわち、第１のマーカＢ１　が選択された場合はステップＳ１０に進む。
ステップＳ３　第１の画面表示装置１２に第２のマーカＡ２　を、第２の画面表示装置１３に第２のマーカＢ２　を、それぞれ、表示する。
ステップＳ４　第２のマーカＡ２　が選択されたか否かを判断する。第２のマーカＡ２　が選択された場合はステップＳ５に進み、第２のマーカＡ２　が選択されていない場合、すなわち、第２のマーカＢ２　が選択された場合はステップＳ９に進む。
ステップＳ５　第１の画面表示装置１２に第３のマーカＡ３　を、第２の画面表示装置１３に第３のマーカＢ３　を、それぞれ、表示する。
ステップＳ６　第３のマーカＡ３　が選択されたか否かを判断する。第３のマーカＡ３　が選択された場合はステップＳ７に進み、第３のマーカＡ３　が選択されていない場合、すなわち、第３のマーカＢ３　が選択された場合はステップＳ８に進む。
ステップＳ７　画面の設定を画面表示パターン▲３▼に設定する。
ステップＳ８　画面の設定を画面表示パターン▲１▼に設定する。
ステップＳ９　画面の設定を画面表示パターン▲２▼に設定する。
ステップＳ１０　第１の画面表示装置１２に第２のマーカＡ２　を、第２の画面表示装置１３に第２のマーカＢ２　を、それぞれ、表示する。
ステップＳ１１　第２のマーカＡ２　が選択されたか否かを判断する。第２のマーカＡ２　が選択された場合はステップＳ１２に進み、第２のマーカＡ２　が選択されていない場合、すなわち、第２のマーカＢ２　が選択された場合はステップＳ１３に進む。
ステップＳ１２　画面の設定を画面表示パターン▲５▼に設定する。
ステップＳ１３　第１の画面表示装置１２にマーカＡ３　を、第２の画面表示装置１３に第３のマーカＢ３　を、それぞれ、表示する。
ステップＳ１４　第３のマーカＡ３　が選択されたか否かを判断する。第３のマーカＡ３　が選択された場合はステップＳ１５に進み、第３のマーカＡ３　が選択されていない場合、すなわち、第３のマーカＢ３　が選択された場合はステップＳ１６に進む。
ステップＳ１５　画面の設定を画面表示パターン▲４▼に設定する。
ステップＳ１６　画面の設定を画面表示パターン▲６▼に設定する。
ステップＳ１７　画面の表示状態を確認し、表示状態に問題がないか否かを判断する。問題がない場合は処理を終了し、問題がある場合はステップＳ１に戻る。
【００３７】
このように、本実施の形態においては、マーカを三回選択するだけで画面設定を変更することができるので、操作者は画面設定を簡単に変更することができる。
【００３８】
次に、本発明の第２の実施の形態について説明する。なお、本実施の形態におけるマルチディスプレイ画面装置の構造については、前記第１の実施の形態におけるマルチディスプレイ画面装置の構造と同様であるので図１を援用して説明する。また、第１の画面表示装置１２及び第２の画面表示装置１３におけるマーカの表示位置についても、前記第１の実施の形態と同様であるので図２及び３を援用して説明する。さらに、画面分割パターンについても、前記第１の実施の形態と同様であるので図５を援用して説明する。
【００３９】
次に、画面設定の動作について説明する。
【００４０】
図６は本発明の第２の実施の形態における画面設定の動作を示すフローチャートである。
【００４１】
本実施の形態においても、初期設定画面は、前記第１の実施の形態と同様に、図５に示される画面表示パターン▲１▼のように、画面Ａ及び画面Ｂが横に並列して表示されているものとする。ここで、マルチディスプレイ画面装置を操作する操作者が画面設定操作を開始すると、主制御部１１は、第１の画面表示装置１２の画面Ａに第１のマーカＡ１　を表示させ、第２の画面表示装置１３の画面Ｂに第１のマーカＢ１　を表示させる。そして、操作者は、表示された第１のマーカＡ１　又は第１のマーカＢ１　に指やペンでタッチすることによって、第１のマーカＡ１　又は第１のマーカＢ１　を選択する。
【００４２】
ここで、第１のマーカＡ１　が選択された場合、主制御部１１は、第１の画面表示装置１２の画面Ａに第２のマーカＡ２　を表示させ、第２の画面表示装置１３の画面Ｂに第２のマーカＢ２　を表示させる。そして、操作者は、表示された第２のマーカＡ２　又は第２のマーカＢ２　に指やペンでタッチすることによって、第２のマーカＡ２　又は第２のマーカＢ２　を選択する。
【００４３】
そして、第２のマーカＡ２　が選択された場合、主制御部１１は、画面の表示パターンを図５に示される画面表示パターン▲１▼に設定し、画面Ａ及び画面Ｂが横に並列して表示される。すなわち、画面全体が横方向に複数に分割されて表示されるマルチディスプレイモードとなる。また、第２のマーカＢ２　が選択された場合は、主制御部１１は、画面の表示パターンを図５に示される画面表示パターン▲２▼に設定し、画面Ａ及び画面Ｂが縦に並列して表示される。すなわち、画面全体が縦方向に複数に分割されて表示されるマルチディスプレイモードとなる。
【００４４】
また、前述されたように、第１の画面表示装置１２の画面Ａに第１のマーカＡ１　が表示され、第２の画面表示装置１３の画面Ｂに第１のマーカＢ１　が表示された場合に第１のマーカＢ１　が選択されると、主制御部１１は、第１の画面表示装置１２の画面Ａに第２のマーカＡ２　を表示させ、第２の画面表示装置１３の画面Ｂに第２のマーカＢ２　を表示させる。そして、操作者は、表示された第２のマーカＡ２　又は第２のマーカＢ２　に指やペンでタッチすることによって、第２のマーカＡ２　又は第２のマーカＢ２　を選択する。
【００４５】
続いて、第２のマーカＡ２　が選択された場合、主制御部１１は、画面の表示パターンを図５に示される画面表示パターン▲５▼に設定し、画面Ａ及び画面Ｂが縦に並列して表示される。すなわち、画面全体が縦方向に複数に分割されて表示されるマルチディスプレイモードとなる。また、第２のマーカＢ２　が選択された場合は、主制御部１１は、画面の表示パターンを図５に示される画面表示パターン▲４▼に設定し、画面Ａ及び画面Ｂが横に並列して表示される。すなわち、画面全体が横方向に複数に分割されて表示されるマルチディスプレイモードとなる。
【００４６】
続いて、操作者は、画面の表示状態を確認し、設定された画面の表示パターンの表示状態に問題がないか否かを判断し、問題がない場合は画面設定の動作を終了する。なお、前記表示状態に問題がある場合、操作者は再度画面設定の動作を行う。
【００４７】
次に、フローチャートについて説明する。
ステップＳ２１　第１の画面表示装置１２に第１のマーカＡ１　を、第２の画面表示装置１３に第１のマーカＢ１　を、それぞれ、表示する。
ステップＳ２２　第１のマーカＡ１　が選択されたか否かを判断する。第１のマーカＡ１　が選択された場合はステップＳ２３に進み、第１のマーカＡ１　が選択されていない場合、すなわち、第１のマーカＢ１　が選択された場合はステップＳ２７に進む。
ステップＳ２３　第１の画面表示装置１２に第２のマーカＡ２　を、第２の画面表示装置１３に第２のマーカＢ２　を、それぞれ、表示する。
ステップ２Ｓ４　第２のマーカＡ２　が選択されたか否かを判断する。第２のマーカＡ２　が選択された場合はステップＳ２５に進み、第２のマーカＡ２　が選択されていない場合、すなわち、第２のマーカＢ２　が選択された場合はステップＳ２６に進む。
ステップＳ２５　画面の設定を画面表示パターン▲１▼に設定する。
ステップＳ２６　画面の設定を画面表示パターン▲２▼に設定する。
ステップＳ２７　第１の画面表示装置１２に第２のマーカＡ２　を、第２の画面表示装置１３に第２のマーカＢ２　を、それぞれ、表示する。
ステップＳ２８　第２のマーカＡ２　が選択されたか否かを判断する。第２のマーカＡ２　が選択された場合はステップＳ２９に進み、第２のマーカＡ２　が選択されていない場合、すなわち、第２のマーカＢ２　が選択された場合はステップＳ３０に進む。
ステップＳ２９　画面の設定を画面表示パターン▲５▼に設定する。
ステップＳ３０　画面の設定を画面表示パターン▲４▼に設定する。
ステップＳ３１　画面の表示を確認し、表示に問題がないか否かを判断する。問題がない場合は処理を終了し、問題がある場合はステップＳ２１に戻る。
【００４８】
このように、本実施の形態においては、マーカを二回選択するだけで画面設定を変更することができるので、操作者は前記第１の実施の形態より簡単に画面設定を変更することができる。
【００４９】
次に、本発明の第３の実施の形態について説明する。なお、本実施の形態におけるマルチディスプレイ画面装置の構造については、前記第１の実施の形態におけるマルチディスプレイ画面装置の構造と同様であるので図１を援用して説明する。また、第１の画面表示装置１２及び第２の画面表示装置１３におけるマーカの表示位置についても、前記第１の実施の形態と同様であるので図２及び３を援用して説明する。さらに、画面分割パターンについても、前記第１の実施の形態と同様であるので図５を援用して説明する。
【００５０】
次に、画面設定の動作について説明する。
【００５１】
図７は本発明の第３の実施の形態における画面設定の動作を示す第１のフローチャート、図８は本発明の第３の実施の形態における画面設定の動作を示す第２のフローチャートである。
【００５２】
本実施の形態においても、初期設定画面は、前記第１及び第２の実施の形態と同様に、図５に示される画面表示パターン▲１▼のように、画面Ａ及び画面Ｂが横に並列して表示されているものとする。ここで、マルチディスプレイ画面装置を操作する操作者が画面設定操作を開始すると、主制御部１１は、第１の画面表示装置１２の画面Ａに第１のマーカＡ１　を表示させ、第２の画面表示装置１３の画面Ｂに第１のマーカＢ１　を表示させる。そして、操作者は、表示された第１のマーカＡ１　又は第１のマーカＢ１　に指やペンでタッチすることによって、第１のマーカＡ１　又は第１のマーカＢ１　を選択する。
【００５３】
ここで、第１のマーカＡ１　が選択された場合、主制御部１１は、第１の画面表示装置１２の画面Ａに第２のマーカＡ２　を表示させるが、第２の画面表示装置１３の画面Ｂにはマーカを表示させない。そして、操作者は、表示された第２のマーカＡ２　に指やペンでタッチすることによって、第２のマーカＡ２　を選択する。すると、主制御部１１は、第１の画面表示装置１２の画面Ａに第３のマーカＡ３　を表示させ、第２の画面表示装置１３の画面Ｂに第１のマーカＢ１　を表示させる。そして、操作者は、表示された第３のマーカＡ３　又は第１のマーカＢ１　に指やペンでタッチすることによって、第３のマーカＡ３　又は第１のマーカＢ１　を選択する。
【００５４】
続いて、第３のマーカＡ３　が選択された場合、主制御部１１は、第２の画面表示装置１３の画面Ｂに第１のマーカＢ１　を表示させるが、第１の画面表示装置１２の画面Ａにはマーカを表示させない。そして、操作者は、表示された第１のマーカＢ１　に指やペンでタッチすることによって、第１のマーカＢ１　を選択する。すると、主制御部１１は、第２の画面表示装置１３の画面Ｂに第２のマーカＢ２　を表示させる。続いて、操作者は、表示された第２のマーカＢ２　に指やペンでタッチすることによって、第２のマーカＢ２　を選択する。すると、主制御部１１は、第２の画面表示装置１３の画面Ｂに第３のマーカＢ３　を表示させる。そして、操作者は、表示された第３のマーカＢ３　に指やペンでタッチすることによって、第３のマーカＢ３　を選択する。すると、主制御部１１は、第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行し、画面の表示パターンを図５に示される画面表示パターン▲１▼に設定し、画面Ａ及び画面Ｂが横に並列して表示される。すなわち、画面全体が横方向に複数に分割されて表示されるマルチディスプレイモードとなる。
【００５５】
また、前述されたように、第１の画面表示装置１２の画面Ａに第３のマーカＡ３　を表示され、第２の画面表示装置１３の画面Ｂに第１のマーカＢ１　を表示された場合に、該第１のマーカＢ１　が選択されると、主制御部１１は、第２の画面表示装置１３の画面Ｂに第２のマーカＢ２　を表示させるが、第１の画面表示装置１２の画面Ａにはマーカを表示させない。そして、操作者は、表示された第２のマーカＢ２　に指やペンでタッチすることによって、第２のマーカＢ２　を選択する。すると、主制御部１１は、第１の画面表示装置１２の画面Ａに第３のマーカＡ３　を表示させるが、第２の画面表示装置１３の画面Ｂにはマーカを表示させない。続いて、操作者は、表示された第３のマーカＡ３　に指やペンでタッチすることによって、第３のマーカＡ３　を選択する。すると、主制御部１１は、第２の画面表示装置１３の画面Ｂに第３のマーカＢ３　を表示させるが、第１の画面表示装置１２の画面Ａにはマーカを表示させない。そして、操作者は、表示された第３のマーカＢ３　に指やペンでタッチすることによって、第３のマーカＢ３　を選択する。すると、主制御部１１は、第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行し、画面の表示パターンを図５に示される画面表示パターン▲２▼に設定し、画面Ａ及び画面Ｂが縦に並列して表示される。すなわち、画面全体が縦方向に複数に分割されて表示されるマルチディスプレイモードとなる。
【００５６】
なお、前述されたように、第１の画面表示装置１２の画面Ａに第１のマーカＡ１　が表示され、第２の画面表示装置１３の画面Ｂに第１のマーカＢ１　が表示された場合に、第１のマーカＢ１　が選択されると、主制御部１１は、第２の画面表示装置１３の画面Ｂに第２のマーカＢ２　を表示させるが、第１の画面表示装置１２の画面Ａにはマーカを表示させない。そして、操作者は、表示された第２のマーカＢ２　に指やペンでタッチすることによって、第２のマーカＢ２　を選択する。すると、主制御部１１は、第１の画面表示装置１２の画面Ａに第１のマーカＡ１　を表示させ、第２の画面表示装置１３の画面Ｂに第３のマーカＢ３　を表示させる。そして、操作者は、表示された第１のマーカＡ１　又は第３のマーカＢ３　に指やペンでタッチすることによって、第１のマーカＡ１　又は第３のマーカＢ３　を選択する。
【００５７】
ここで、第１のマーカＡ１　が選択された場合は、主制御部１１は、第１の画面表示装置１２の画面Ａに第２のマーカＡ２　を表示させるが、第２の画面表示装置１３の画面Ｂにはマーカを表示させない。そして、操作者は、表示された第２のマーカＡ２　に指やペンでタッチすることによって、第２のマーカＡ２　を選択する。すると、主制御部１１は、第２の画面表示装置１３の画面Ｂに第３のマーカＢ３　を表示させるが、第１の画面表示装置１２の画面Ａにはマーカを表示させない。そして、操作者は、表示された第３のマーカＢ３　に指やペンでタッチすることによって、第３のマーカＢ３　を選択する。すると、主制御部１１は、第１の画面表示装置１２の画面Ａに第３のマーカＡ３　を表示させるが、第２の画面表示装置１３の画面Ｂにはマーカを表示させない。続いて、操作者は、表示された第３のマーカＡ３　に指やペンでタッチすることによって、第３のマーカＡ３　を選択する。すると、主制御部１１は、第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行し、画面の表示パターンを図５に示される画面表示パターン▲５▼に設定し、画面Ａ及び画面Ｂが縦に並列して表示される。すなわち、画面全体が縦方向に複数に分割されて表示されるマルチディスプレイモードとなる。
【００５８】
なお、前述されたように、第１の画面表示装置１２の画面Ａに第１のマーカＡ１　が表示され、第２の画面表示装置１３の画面Ｂに第３のマーカＢ３　が表示された場合に、第３のマーカＢ３　が選択されると、主制御部１１は、第１の画面表示装置１２の画面Ａに第１のマーカＡ１　を表示させるが、第２の画面表示装置１３の画面Ｂにはマーカを表示させない。そして、操作者は、表示された第１のマーカＡ１　に指やペンでタッチすることによって、第１のマーカＡ１　を選択する。すると、主制御部１１は、第１の画面表示装置１２の画面Ａに第２のマーカＡ２　を表示させるが、第２の画面表示装置１３の画面Ｂにはマーカを表示させない。そして、操作者は、表示された第２のマーカＡ２　に指やペンでタッチすることによって、第２のマーカＡ２　を選択する。すると、主制御部１１は、第１の画面表示装置１２の画面Ａに第３のマーカＡ３　を表示させるが、第２の画面表示装置１３の画面Ｂにはマーカを表示させない。続いて、操作者は、表示された第３のマーカＡ３　に指やペンでタッチすることによって、第３のマーカＡ３　を選択する。すると、主制御部１１は、第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行し、画面の表示パターンを図５に示される画面表示パターン▲４▼に設定し、画面Ａ及び画面Ｂが横に並列して表示される。すなわち、画面全体が横方向に複数に分割されて表示されるマルチディスプレイモードとなる。
【００５９】
続いて、操作者は、画面の表示状態を確認し、設定された画面の表示パターンの表示状態に問題がないか否かを判断し、問題がない場合は画面設定の動作を終了する。なお、前記表示状態に問題がある場合、操作者は再度画面設定の動作を行う。
【００６０】
次に、フローチャートについて説明する。
ステップＳ４１　第１の画面表示装置１２に第１のマーカＡ１　を、第２の画面表示装置１３に第１のマーカＢ１　を、それぞれ、表示する。
ステップＳ４２　第１のマーカＡ１　が選択されたか否かを判断する。第１のマーカＡ１　が選択された場合はステップＳ４３に進み、第１のマーカＡ１　が選択されていない場合、すなわち、第１のマーカＢ１　が選択された場合はステップＳ５６に進む。
ステップＳ４３　第１の画面表示装置１２に第２のマーカＡ２　を表示し、該第２のマーカＡ２　を選択する。
ステップＳ４４　第１の画面表示装置１２に第３のマーカＡ３　を、第２の画面表示装置１３に第１のマーカＢ１　を、それぞれ、表示する。
ステップＳ４５　第３のマーカＡ３　が選択されたか否かを判断する。第３のマーカＡ３　が選択された場合はステップＳ４６に進み、第３のマーカＡ３　が選択されていない場合、すなわち、第１のマーカＢ１　が選択された場合はステップＳ５１に進む。
ステップＳ４６　第２の画面表示装置１３に第１のマーカＢ１　を表示し、該第１のマーカＢ１　を選択する。
ステップＳ４７　第２の画面表示装置１３に第２のマーカＢ２　を表示し、該第２のマーカＢ２　を選択する。
ステップＳ４８　第２の画面表示装置１３に第３のマーカＢ３　を表示し、該第３のマーカＢ３　を選択する。
ステップＳ４９　第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行する。
ステップＳ５０　画面の設定を画面表示パターン▲１▼に設定する。
ステップＳ５１　第２の画面表示装置１３に第２のマーカＢ２　を表示し、該第２のマーカＢ２　を選択する。
ステップＳ５２　第１の画面表示装置１２に第３のマーカＡ３　を表示し、該第３のマーカＡ３　を選択する。
ステップＳ５３　第２の画面表示装置１３に第３のマーカＢ３　を表示し、該第３のマーカＢ３　を選択する。
ステップＳ５４　第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行する。
ステップＳ５５　画面の設定を画面表示パターン▲２▼に設定する。
ステップＳ５６　第２の画面表示装置１３に第２のマーカＢ２　を表示し、該第２のマーカＢ２　を選択する。
ステップＳ５７　第１の画面表示装置１２に第１のマーカＡ１　を、第２の画面表示装置１３に第３のマーカＢ３　をそれぞれ表示する。
ステップＳ５８　第１のマーカＡ１　が選択されたか否かを判断する。第１のマーカＡ１　が選択された場合はステップＳ５９に進み、第１のマーカＡ１　が選択されていない場合、すなわち、第３のマーカＢ３　が選択された場合はステップＳ６４に進む。
ステップＳ５９　第１の画面表示装置１２に第２のマーカＡ２　を表示し、該第２のマーカＡ２　を選択する。
ステップＳ６０　第２の画面表示装置１３に第３のマーカＢ３　を表示し、該第３のマーカＢ３　を選択する。
ステップＳ６１　第１の画面表示装置１２に第３のマーカＡ３　を表示し、該第３のマーカＡ３　を選択する。
ステップＳ６２　第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行する。
ステップＳ６３　画面の設定を画面表示パターン▲５▼に設定する。
ステップＳ６４　第１の画面表示装置１２に第１のマーカＡ１　を表示し、該第１のマーカＡ１　を選択する。
ステップＳ６５　第１の画面表示装置１２に第２のマーカＡ２　を表示し、該第２のマーカＡ２　を選択する。
ステップＳ６６　第１の画面表示装置１２に第３のマーカＡ３　を表示し、該第３のマーカＡ３　を選択する。
ステップＳ６７　第１〜第３のマーカＡ１　〜Ａ３　及び第１〜第３のマーカＢ１　〜Ｂ３　を選択する際に触れた座標に基づいて、第１のタッチパネル１４及び第２のタッチパネル１５のキャリブレーションを実行する。
ステップＳ６８　画面の設定を画面表示パターン▲４▼に設定する。
ステップＳ６９　画面の表示を確認し、表示に問題がないか否かを判断する。問題がない場合は処理を終了し、問題がある場合はステップＳ４１に戻る。
【００６１】
このように、本実施の形態においては、第１のタッチパネル１４及び第２のタッチパネル１５のキャリブレーションを行いながら、画面表示設定の変更を簡単に行うことができる。
【００６２】
次に、本発明の第４の実施の形態について説明する。なお、本実施の形態におけるマルチディスプレイ画面装置の構造については、前記第１の実施の形態におけるマルチディスプレイ画面装置の構造と同様であるので図１を援用して説明する。また、第１の画面表示装置１２及び第２の画面表示装置１３におけるマーカの表示位置についても、前記第１の実施の形態と同様であるので図２及び３を援用して説明する。
【００６３】
次に、画面設定の動作について説明する。
【００６４】
図９は本発明の第４の実施の形態における画面設定の動作を示すフローチャートである。
【００６５】
まず、主制御部１１は、操作者が指やペンで、１番最初に第１のタッチパネル１４又は第２のタッチパネル１５のどちらにタッチしたかを検出し、最初にタッチしたタッチパネルの左上角を位置座標として原点（０，０）に設定し、操作者がタッチした第１点目の位置座標（Ｘ１　，Ｙ１　）を検出する。
【００６６】
続いて、主制御部１１は、操作者が指やペンで、２番目に第１のタッチパネル１４又は第２のタッチパネル１５のどちらにタッチしたかを検出し、２番目にタッチしたタッチパネルが最初にタッチしたタッチパネルと同じタッチパネルである場合、該タッチパネルに対応する画面を左側に、もう一方のタッチパネルを右側に設定する。また、操作者が２番目にタッチしたタッチパネルが最初にタッチしたタッチパネルと異なる場合、最初にタッチしたタッチパネルに対応する画面を左側に、もう一方のタッチパネルを右側に設定する。
【００６７】
そして、主制御部１１は、操作者がタッチした第２点目の位置座標（Ｘ２　，Ｙ２　）を検出し、続いて、操作者がタッチした第３点目の位置座標（Ｘ３　，Ｙ３　）を検出する。
【００６８】
次に、主制御部１１は、操作者がタッチした第１点目の位置座標（Ｘ１　，Ｙ１　）を基点に、［Ｘ３　−Ｘ１　］×［Ｙ１　−Ｙ２　］のサイズとなるように画面のサイズを設定する。
【００６９】
続いて、操作者は、画面の表示状態を確認し、設定された画面の表示状態に問題がないか否かを判断し、問題がない場合は画面設定の動作を終了する。なお、前記表示状態に問題がある場合、操作者は再度画面設定の動作を行う。
【００７０】
次に、フローチャートについて説明する。
ステップＳ７１　操作者がタッチした第１点目、すなわち、タッチ１点目の第１のタッチパネル１４及び第２のタッチパネル１５を検出する。
ステップＳ７２　タッチ１点目のタッチパネル側の左上角を原点（０，０）に設定する。
ステップＳ７３　タッチ１点目の位置座標（Ｘ１　，Ｙ１　）を検出する。
ステップＳ７４　タッチ２点目の第１のタッチパネル１４及び第２のタッチパネル１５を検出し、該タッチ２点目のタッチパネルがタッチ１点目のタッチパネルと同じであるか否かを判断する。タッチ１点目のタッチパネルと同じである場合はステップＳ７５に進み、タッチ１点目のタッチパネルと異なる場合はステップＳ７６に進む。
ステップＳ７５　同じであるタッチパネルに対応する画面を左側に、もう一方のタッチパネルを右側に設定する。
ステップＳ７６　タッチ１点目のタッチパネルに対応する画面を左側に、もう一方のタッチパネルを右側に設定する。
ステップＳ７７　タッチ２点目の位置座標（Ｘ２　，Ｙ２　）を検出する。
ステップＳ７８　タッチ３点目の位置座標（Ｘ３　，Ｙ３　）を検出する。
ステップＳ７９　タッチ１点目の位置座標（Ｘ１　，Ｙ１　）を基点に、［Ｘ３　−Ｘ１　］×［Ｙ１　−Ｙ２　］のサイズに画面のサイズを設定する。
ステップＳ８０　画面の表示を確認し、表示に問題がないか否かを判断する。問題がない場合は処理を終了し、問題がある場合はステップＳ７１に戻る。
【００７１】
このように、本実施の形態においては、第１のタッチパネル１４及び第２のタッチパネル１５上の任意の三点に触れることによって、画面分割パターンび画面のサイズの設定を簡単に行うことができる。
【００７２】
なお、前記第１〜第４の実施の形態においては、入力装置として第１のタッチパネル１４又は第２のタッチパネル１５を使用した場合について説明したが、他の入力装置、例えば、キーボードやマウスにも適用することができる。
【００７３】
また、本発明は、図１に示されるような構成のマルチディスプレイ画面装置を有する装置であれば、いかなる装置にも適用することができる。
【００７４】
さらに、前記第１〜第３の実施の形態においては、マーカを画面に表示する順番を固定しているが、この順番は任意に変更することができる。
【００７５】
なお、本発明は前記実施の形態に限定されるものではなく、本発明の趣旨に基づいて種々変形させることが可能であり、それらを本発明の範囲から排除するものではない。
【００７６】
【発明の効果】
以上詳細に説明したように、本発明によれば、マルチディスプレイ画面設定方法においては、簡単な操作によって画面設定を変更することができる。
【図面の簡単な説明】
【図１】本発明の第１の実施の形態におけるマルチディスプレイ画面装置の構成を示すブロック図である。
【図２】本発明の第１の実施の形態における第１の画面表示装置のマーカの表示位置を示す図である。
【図３】本発明の第１の実施の形態における第２の画面表示装置のマーカの表示位置を示す図である。
【図４】本発明の第１の実施の形態における画面設定の動作を示すフローチャートである。
【図５】本発明の第１の実施の形態における画面表示パターンを示す図である。
【図６】本発明の第２の実施の形態における画面設定の動作を示すフローチャートである。
【図７】本発明の第３の実施の形態における画面設定の動作を示す第１のフローチャートである。
【図８】本発明の第３の実施の形態における画面設定の動作を示す第２のフローチャートである。
【図９】本発明の第４の実施の形態における画面設定の動作を示すフローチャートである。
【符号の説明】
１２　　第１の画像表示装置
１３　　第２の画像表示装置
１４　　第１のタッチパネル
１５　　第２のタッチパネル
【図１】
2004070635.tif 000003
【図２】
2004070635.tif 000004
【図３】
2004070635.tif 000005
【図４】
2004070635.tif 000006
【図５】
2004070635.tif 000007
【図６】
2004070635.tif 000008
【図７】
2004070635.tif 000009
【図８】
2004070635.tif 000010
【図９】
2004070635.tif 000011